(57)【要約】【課題】ＯＦＤＭ方式の放送信号を受信する受信装置では、内蔵されたチューナ数より接続されるアンテナの数が少ない場合にチューナが無駄になっていた。【解決手段】ＯＦＤＭ方式の放送波を受信する受信装置１１に内蔵される回路基板２に、複数のチューナＴと、チューナＴから出力された中間周波数の中から受信感度の高いものを選択して映像と音声とデータを含む合成信号を出力するＯＦＤＭ回路４とを有するチューナモジュール３と、チューナモジュール３からの信号をデコード処理して、映像信号と音声信号を別々に出力するデコード回路５とを実装し、４個のチューナＴに対して２つのアンテナＡが接続された場合に、各アンテナＡを回路基板２上の回路で何れかのチューナＴに接続すると共に、余ったチューナＴを、回路基板上の回路によって更にアンテナＡの何れかに接続したものである。【選択図】図３
2010206294.tif 000002
【特許請求の範囲】
【請求項１】
直交周波数分割多重方式の放送波を受信する受信装置であって、
前記受信装置に内蔵された回路基板が、
放送波を受信して中間周波数信号を出力する複数のチューナと、前記複数のチューナによって出力された中間周波数信号を入力し、当該入力された各中間周波数信号に重み付けを行って合成された合成信号を出力する直交周波数分割多重回路と、が内蔵されたチューナモジュールと、
前記チューナモジュールから出力された合成信号を入力してデコード処理し、映像信号と音声信号を出力するデコード回路とを備え、
前記回路基板に、前記複数のチューナよりも少ない数のアンテナが接続される場合に、前記複数のチューナをそれぞれ、必ず何れか１つのアンテナに接続したことを特徴とする受信装置。
【請求項２】
前記チューナモジュールに内蔵されるチューナの数が４つであり、
前記回路基板に接続されるアンテナの数が２つである場合に、
４つのチューナのうちの２つを一方のアンテナに接続し、
４つのチューナのうちの残りの２つを他方のアンテナに接続したことを特徴とする請求項１に記載の受信装置。
【請求項３】
前記チューナモジュールに内蔵されるチューナの数が４つであり、
前記回路基板に接続されるアンテナの数が２つである場合に、
４つのチューナのうちの１つを一方のアンテナに接続し、
４つのチューナのうちの残りの３つを他方のアンテナに接続したことを特徴とする請求項１に記載の受信装置。
【請求項４】
前記２つのアンテナは、それぞれ異なるチャンネル周波数の放送波を受信することを特徴とする請求項２又は３に記載の受信装置。
【請求項５】
直交周波数分割多重方式の放送波を受信する受信装置であって、
前記受信装置に内蔵された回路基板が、
放送波を受信して中間周波数信号を出力する４つのチューナと、前記４つのチューナによって出力された中間周波数信号を入力し、当該入力された各中間周波数信号に重み付けを行って合成された合成信号を出力する直交周波数分割多重回路と、が内蔵されたチューナモジュールと、
前記チューナモジュールから出力された合成信号を入力してデコード処理し、映像信号と音声信号を出力するデコード回路とを備え、
前記回路基板に、４つのアンテナが接続される場合に、
第１のチューナは第１のアンテナに接続し、
第２のチューナは第２のアンテナに接続し、
第３のチューナは切換手段によって第１と第３のアンテナに切換可能に接続し、
第４のチューナは切換手段によって第２と第４のアンテナに切換可能に接続したことを特徴とする受信装置。
【発明の詳細な説明】
【技術分野】
【０００１】
本発明は受信装置に関し、特に、地上波デジタルテレビ放送の放送信号を受信するための受信装置に関する。
【背景技術】
【０００２】
従来のアナログ方式のテレビ放送の終了に伴い、地上波デジタルテレビ放送が開始された。地上波デジタルテレビ放送はＵＨＦ帯の周波数を使用しており、放送する方式（変調方式）として、直交周波数分割多重方式（直交周波数分割多重は以後ＯＦＤＭという）の放送信号が使用される。そして、地上波デジタルテレビ放送の受信装置は一般に、ＯＦＤＭ方式の放送信号を受信する複数のＯＦＤＭ回路を備えており、複数のアンテナに接続させた複数のＯＦＤＭ回路で最も感度の良い放送信号を選択して出力するダイバーシティ機能を実現している。（例えば特許文献１を参照）
【０００３】
図１（ａ）は従来の４つのアンテナＡ１〜Ａ４を備えたＯＦＤＭ方式の放送信号を受信する受信装置１の構成を示すものである。４つのアンテナＡ１〜Ａ４は受信装置１に内蔵された回路基板２のコネクタＣＮ１〜ＣＮ４にそれぞれ接続されており、各コネクタＣＮ１〜ＣＮ４の出力端子は回路基板２上の回路２１〜２４でチューナモジュール３にそれぞれ導かれる。チューナモジュール３内には４つのアンテナＡ１〜Ａ４に対応する４つのチューナＴ１〜Ｔ４が設けられており、各チューナＴ１〜Ｔ４は受信した放送信号を中間周波数信号（ＩＦ１〜ＩＦ４）に変換してＯＦＤＭ回路４に出力する。
【０００４】
ＯＦＤＭ回路４には、図１（ｂ）に示すように、中間周波数信号ＩＦ１〜ＩＦ４に対してそれぞれ同期部４１〜４４と検波部５１〜５４が設けられており、同期部４１〜４４と検波部５１〜５４を通過した中間周波数信号ＩＦ１〜ＩＦ４は合成部４５に入力される。合成部４５では、合成後のＣ／Ｎ比（キャリア・ノイズ比）が最良（最大）になるように、各中間周波数信号ＩＦ１〜ＩＦ４に重み付けが行われて合成されて復調され、復調された信号は誤り訂正部４６を経てＯＦＤＭ回路４からデジタルテレビ放送特有の信号ＴＳとして出力される。この信号ＴＳは、画像と音声とデータを含む信号であり、パケット形式で出力される。
【０００５】
ＯＦＤＭ回路４から出力されたＴＳ信号は、チューナモジュール３からの出力信号として回路基板２からＡＶデコード回路５に入力される。ＡＶデコード回路５は入力された信号のデコード処理を行い、映像信号と音声信号を分離して別々に出力する。ＡＶデコード回路５から出力された映像信号は図示しないディスプレイに入力されて映像が表示され、ＡＶデコード回路から出力された音声信号は図示しないスピーカに入力されて音声となる。なお、ＡＶデコード回路５は回路基板２に設けられることもある。
【先行技術文献】
【特許文献】
【０００６】
【特許文献１】特開２００６−２２２８５１号公報
【発明の概要】
【発明が解決しようとする課題】
【０００７】
ところが、従来のＯＦＤＭ回路４を備えたチューナモジュール３では、内蔵されたチューナの数は４つで固定であったので、ＯＦＤＭ方式の放送信号を受信する受信装置に接続するアンテナの数が４本より少ない場合は、使用されないチューナがあり、無駄が発生するという問題点があった。例えば、図２に示すような、アンテナの数がアンテナＡ１，Ａ２の２つしかない従来の受信装置６では、内蔵された２つのチューナＴ３、Ｔ４が使用されず、無駄になっているという問題点があった。
【０００８】
そこで本発明は、ＯＦＤＭ方式の放送信号を受信する受信装置に接続するアンテナの数が、ＯＦＤＭ方式の放送信号を受信する受信装置に内蔵されたチューナの数よりも少ない場合であっても、内蔵されたチューナを有効に使用して、ＯＦＤＭ方式の放送信号を受信する受信装置の性能の向上を図ることを目的としている。また、ＯＦＤＭ方式の放送信号を受信する受信装置に接続するアンテナの数が、ＯＦＤＭ方式の放送信号を受信する受信装置に内蔵されたチューナの数と同数であっても、内蔵された感度の良いチューナを有効に使用して、ＯＦＤＭ方式の放送信号を受信する受信装置の性能の向上を図ることを目的としている。
【課題を解決するための手段】
【０００９】
前記目的を達成する本発明の受信装置の第１の形態は、直交周波数分割多重方式の放送波を受信する受信装置であって、受信装置に内蔵された回路基板が、放送波を受信して中間周波数信号を出力する複数のチューナと、複数のチューナによって出力された中間周波数信号を入力し、当該入力された各中間周波数信号に重み付けを行って合成された合成信号を出力する直交周波数分割多重回路とが内蔵されたチューナモジュールと、チューナモジュールから出力された合成信号を入力してデコード処理し、映像信号と音声信号を出力するデコード回路とを備え、回路基板に、複数のチューナよりも少ない数のアンテナが接続される場合に、複数のチューナをそれぞれ、必ず何れか１つのアンテナに接続したことを特徴としている。
【００１０】
前記目的を達成する本発明の受信装置の第２の形態は、直交周波数分割多重方式の放送波を受信する受信装置であって、受信装置に内蔵された回路基板が、放送波を受信して中間周波数信号を出力する４つのチューナと、４つのチューナによって出力された中間周波数信号を入力し、当該入力された各中間周波数信号に重み付けを行って合成された合成信号を出力する直交周波数分割多重回路とが内蔵されたチューナモジュールと、チューナモジュールから出力された合成信号を入力してデコード処理し、映像信号と音声信号を出力するデコード回路とを備え、回路基板に、４つのアンテナが接続される場合に、第１のチューナは第１のアンテナに接続し、第２のチューナは第２のアンテナに接続し、第３のチューナは切換手段によって第１と第３のアンテナに切換可能に接続し、第４のチューナは切換手段によって第２と第４のアンテナに切換可能に接続したことを特徴としている。
【発明の効果】
【００１１】
本発明の受信装置によれば、ＯＦＤＭ方式の放送信号を受信する受信装置に接続するアンテナの数が、ＯＦＤＭ方式の放送信号を受信する受信装置に内蔵されたチューナの数よりも少ない場合であっても、内蔵されたチューナを有効に使用してＯＦＤＭ方式の放送信号を受信する受信装置の性能の向上を図るができるという効果がある。
【図面の簡単な説明】
【００１２】
【図１】（ａ）は、４つのアンテナを備えた従来の地上波デジタル放送の受信装置の構成を示す構成図、（ｂ）は（ａ）のＯＦＤＭ回路の構成を示すブロック回路図である。
【図２】図１（ａ）に示した回路基板に２つのアンテナのみが接続された場合の、従来の地上波デジタル放送の受信装置の構成を示す構成図である。
【図３】（ａ）は図２に示した２つのコネクタの出力を回路基板上でそれぞれ２分岐してチューナモジュールの４つの入力端子に全て接続した本発明の第１の実施例の地上波デジタル放送の受信装置の構成を示す構成図であり、（ｂ）は２つのアンテナの出力をそれぞれ２分岐して図１（ａ）に示した４つのコネクタに全て接続した本発明の第１の実施例の変形例の地上波デジタル放送の受信装置の構成を示す構成図である。
【図４】本発明の第２の実施例の地上波デジタル放送の受信装置の構成を示す構成図であり、２つのアンテナと図１（ａ）に示したチューナモジュールを使用した場合の別の実施例を示すものである。
【図５】本発明の第３の実施例の地上波デジタル放送の受信装置の構成を示す構成図であり、４つのアンテナと図１（ａ）に示したチューナモジュールを使用した場合の実施例を示すものである。
【図６】（ａ）は２つのアンテナと次世代ＯＦＤＭ回路を内蔵したチューナモジュールを使用した本発明の第４の実施例の地上波デジタル放送の受信装置の構成を示す構成図であり、（ｂ）は（ａ）に示した次世代のＯＦＤＭ回路の構成を示すブロック回路図である。
【図７】４つのアンテナと次世代ＯＦＤＭ回路を内蔵したチューナモジュールを使用した本発明の第５の実施例の地上波デジタル放送の受信装置の構成を示す構成図である。
【図８】図６（ａ）、（ｂ）及び図７に示した次世代のＯＦＤＭ回路の機能を示すテーブル図である。
【発明を実施するための形態】
【００１３】
以下、添付図面を用いて本発明の実施の形態を、具体的な実施例に基づいて詳細に説明する。なお、ここで説明する実施例の構成において、図１、図２において説明した従来の受信装置１、６と同じ構成部材が使用されている場合には、その部材に従来と同じ符号を付して説明する。
【００１４】
図３（ａ）は、本発明の第１の実施例の地上波デジタル放送の受信装置１１の構成を示すものである。回路基板２には、図１（ａ）で説明した従来の受信装置１と同様のチューナモジュール３が設けられている。チューナモジュール３内には、４つのチューナＴ１〜Ｔ４とＯＦＤＭ回路４が設けられている。チューナＴ１〜Ｔ４が出力する中間周波数信号ＩＦ１〜ＩＦ４が入力されるＯＦＤＭ回路４は、合成後のＣ／Ｎ比が最良（最大）になるように各中間周波数信号ＩＦ１〜ＩＦ４に重み付けを行って合成して復調し、信号ＴＳとして出力する。この実施例では回路基板２の上にＡＶデコード回路５が設けられている。
【００１５】
ＡＶデコード回路５は入力された信号のデコード処理を行い、映像信号と音声信号を分離して別々に出力する。ＡＶデコード回路５から出力された映像信号は図示しないディスプレイに入力されて映像が表示され、ＡＶデコード回路から出力された音声信号は図示しないスピーカに入力されて音声となることも同様である。なお、ＡＶデコード回路５は回路基板２とは別の基板に設けられることもある。更に、回路基板２の上にはマイクロコンピュータ（以後図３に記載のようにマイコンと記す）７があり、ＯＦＤＭ回路４の動作を制御する。ＯＦＤＭ回路４の構成は従来と同じであり、図１（ｂ）で説明した通りであるので、ここではその説明を省略する。
【００１６】
２本のアンテナＡ１、Ａ２が受信装置１１に内蔵された回路基板２のコネクタＣＮ１、ＣＮ２にそれぞれ接続されており、各コネクタＣＮ１、ＣＮ２の出力端子は回路基板２上の回路２１、２２でチューナモジュール３にそれぞれ導かれる。一方、第１の実施例では、回路２１が回路２５によって分岐され、この回路２５がチューナモジュール３に内蔵されたチューナＴ３に接続される。同様に、回路２２が回路２６によって分岐され、この回路２６がチューナモジュール３に内蔵されたチューナＴ４に接続される。
【００１７】
チューナＴ１〜Ｔ４の出力はＯＦＤＭ回路４に入力される。従って、ＯＦＤＭ回路４にはアンテナＡ１で受信した放送波が、２つのチューナＴ１，Ｔ３でそれぞれ中間周波数信号ＩＦ１，ＩＦ３に変換されて入力されると共に、アンテナＡ２で受信した放送波が、２つのチューナＴ２，Ｔ４でそれぞれ中間周波数信号ＩＦ２，ＩＦ４に変換されて入力される。
【００１８】
図３（ｂ）は、本発明の第１の実施例の変形例の地上波デジタル放送の受信装置１１Ａの構成を示すものである。この変形例では、回路基板２として、図１（ａ）で説明した従来の受信装置１と同様の回路基板２が採用されている。回路基板２の構成は既に説明したので、ここではその説明を省略する。本発明の第１の実施例の変形例の地上波デジタル放送の受信装置１１Ａは、２本のアンテナＡ１、Ａ２のみが設けられている点で図１（ａ）で説明した受信装置１と異なる。
【００１９】
本発明の第１の実施例の変形例の地上波デジタル放送の受信装置１１Ａでは、２本のアンテナＡ１、Ａ２はその出力がそれぞれ２分岐されている。そして、アンテナＡ１の２つの出力は受信装置１１Ａに内蔵された回路基板２のコネクタＣＮ１、ＣＮ２にそれぞれ接続されており、各コネクタＣＮ１、ＣＮ２の出力端子は、回路基板２上の回路２１、２２によってチューナモジュール３に内蔵されたチューナＴ１、Ｔ２それぞれに接続されている。
【００２０】
一方、アンテナＡ２の２つの出力は受信装置１１Ａに内蔵された回路基板２のコネクタＣＮ３、ＣＮ４にそれぞれ接続されており、各コネクタＣＮ３、ＣＮ４の出力端子は、回路基板２上の回路２３、２４によってチューナモジュール３に内蔵されたチューナＴ３、Ｔ４にそれぞれに接続されている。このように、第１の実施例の変形例の地上波デジタル放送の受信装置１１Ａでは、アンテナの数が２本であっても、全てのチューナＴ１〜Ｔ４にアンテナ出力が入力される。
【００２１】
第１の実施例、並びにその変形例の受信装置１１，１１Ａでは、ＯＦＤＭ方式の放送信号を受信するアンテナの数（アンテナＡ１，Ａ２の２つ）が、受信装置１１，１１Ａに内蔵されたチューナの数（チューナＴ１〜Ｔ４の４つ）よりも少なくても、チューナＴ１〜Ｔ４にはアンテナＡ１，Ａ２の何れかからの受信信号が入力される。この結果、チューナＴ１〜Ｔ４に感度のばらつきがあっても、ＯＦＤＭ回路４では合成後のＣ／Ｎ比が最良（最大）になるように、各中間周波数信号ＩＦ１〜ＩＦ４に重み付けを行って合成して復調してＴＳ信号として出力することができるので、チューナＴ１〜Ｔ４を有効に使用して受信装置１１，１１Ａの性能の向上を図るができる。
【００２２】
図４は、本発明の第２の実施例の地上波デジタル放送の受信装置１２の構成を示すものである。第２の実施例の地上波デジタル放送の受信装置１２の構成が、前述の第１の実施例の地上波デジタル放送の受信装置１１の構成と異なる点は、コネクタＣＮ１，ＣＮ２とチューナＴ１〜Ｔ４との接続のみである。よって、他の部分の構成の説明はここでは省略する。
【００２３】
第１の実施例ではコネクタＣＮ１が、回路２１によってチューナＴ１に接続されると共に、回路２５によってチューナＴ３に接続されていた。また、コネクタＣＮ２が、回路２２によってチューナＴ２に接続されると共に、回路２６によってチューナＴ４に接続されていた。これに対して第２の実施例では、コネクタＣＮ１は回路２１によってチューナＴ１に接続されるだけであり、コネクタＣＮ２が、回路２２によってチューナＴ２に接続されると共に、回路２７によってチューナＴ３とＴ４にも接続されている。
【００２４】
よって、第２の実施例では、ＯＦＤＭ回路４にはアンテナＡ１で受信した放送波は１つのチューナＴ１で中間周波数信号ＩＦ１に変換されて入力されるが、アンテナＡ２で受信した放送波は、３つのチューナＴ２〜Ｔ４でそれぞれ中間周波数信号ＩＦ２〜ＩＦ４に変換されて入力される。従って、第２の実施例では、ＯＦＤＭ回路４が、チューナＴ１〜Ｔ４の感度のばらつきを考慮して、合成後のＣ／Ｎ比が最良（最大）になるように、各中間周波数信号ＩＦ１〜ＩＦ４に重み付けを行って合成して復調してＴＳ信号として出力することができる。
【００２５】
図５は、本発明の第３の実施例の地上波デジタル放送の受信装置１３の構成を示すものである。第３の実施例の地上波デジタル放送の受信装置１３の構成が、前述の第１及び第２の実施例の地上波デジタル放送の受信装置１１、１２の構成と異なる点は、回路基板２に接続するアンテナの数が４本である点と、４本のアンテナＡ１〜Ａ４が接続する回路基板２に設けられたコネクタＣＮ１〜ＣＮ４とチューナＴ１〜Ｔ４との接続のみである。よって、他の部分の構成の説明はここでは省略する。尚、アンテナＡ１，Ａ２は車両の前方に設置されるフロントアンテナであり、アンテナＡ３，Ａ４は車両の後方に設置されるリヤアンテナである。
【００２６】
第３の実施例では、各コネクタＣＮ１、ＣＮ２の出力端子は回路基板２上の回路２１、２２でチューナモジュール３に内蔵されたチューナＴ１，Ｔ２それぞれ導かれる。一方、第３の実施例では、チューナモジュール３に内蔵されたチューナＴ３，Ｔ４は、２入力１出力の切換スイッチＳＷ１，ＳＷ２の出力端子にそれぞれ接続されている。チューナＴ３が接続する切換スイッチＳＷ１の一方の入力には、回路２１から分岐された回路２５が接続され、他方の入力にはコネクタＣＮ３に接続する回路２３が接続される。同様に、チューナＴ４が接続する切換スイッチＳＷ２の一方の入力には、回路２２から分岐された回路２６が接続され、他方の入力にはコネクタＣＮ４に接続する回路２４が接続される。
【００２７】
切換スイッチＳＷ１，ＳＷ２の切り換えは、回路基板２に実装されたマイコン７によって行われる。マイコン７はＯＦＤＭ回路４に接続しており、チューナＴ１〜Ｔ４から入力される中間周波数信号ＩＦ１〜ＩＦ４の強度に応じて、チューナＴ３に接続するアンテナをアンテナＡ１かアンテナＡ３の何れかに切り換え、同様に、チューナＴ４に接続するアンテナをアンテナＡ２かアンテナＡ４の何れかに切り換える。この結果、第３の実施例のＯＦＤＭ回路４は、合成後のＣ／Ｎ比が最良（最大）になるように、各中間周波数信号ＩＦ１〜ＩＦ４に重み付けを行って合成して復調してＴＳ信号を出力することができる。
【００２８】
また、フロントアンテナＡ１，Ａ２、及びリヤアンテナＡ３，Ａ４の何れか一方が故障した場合に、切換スイッチＳＷ１及びＳＷ２を動作可能なアンテナ側に切り換えることにより、アンテナに故障が発生した場合でもチューナを無駄にすることなく受信感度の向上に寄与させることができる。
【００２９】
図６（ａ）は、本発明の第４の実施例の地上波デジタル放送の受信装置１４の構成を示すものである。第４の実施例の地上波デジタル放送の受信装置１４の構成は、チューナモジュール３に内蔵されるＯＦＤＭ回路４が、次世代ＯＦＤＭ回路８に変更になった点、アンテナＡ１とアンテナＡ２にそれぞれ異なるチャンネル周波数の放送波を受信させることができる点を除いて、第１の実施例の受信装置１１の構成と同じである。アンテナＡ１とアンテナＡ２に同じチャンネル周波数の放送波を受信させることも勿論可能である。
【００３０】
次世代ＯＦＤＭ回路８には第１の実施例と同様の中間周波数信号ＩＦ１〜ＩＦ４が入力されるが、ここではアンテナＡ１とアンテナＡ２がそれぞれ異なるチャンネル周波数の放送波を受信した場合について説明する。アンテナＡ１とアンテナＡ２がそれぞれ異なるチャンネル周波数の放送波を受信した場合は、次世代ＯＦＤＭ回路８は２種類の中間周波数信号を別々に処理することができる。即ち、アンテナＡ１で受信された信号によりチューナＴ１，Ｔ３から出力された中間周波数信号ＩＦ１、ＩＦ３と、アンテナＡ２で受信された信号によりチューナＴ２，Ｔ４から出力された中間周波数信号ＩＦ２，ＩＦ４とを、次世代ＯＦＤＭ回路８は別々に処理して２系統のＴＳ信号ＴＳ１、ＴＳ２を出力することができる。
【００３１】
次世代ＯＦＤＭ回路８から出力された２系統のＴＳ信号ＴＳ１、ＴＳ２は、共にＡＶデコード回路５に入力される。ＡＶデコード回路５は入力された２系統のＴＳ信号ＴＳ１，ＴＳ２のデコード処理を行い、映像信号と音声信号を分離して２系統の映像・音声信号１と、映像・音声信号２を出力する。その他の構成は第１の実施例の受信装置１１と同じであるので、同じ構成部材には同じ符号を付してその説明を省略する。
【００３２】
次世代ＯＦＤＭ回路８には、図６（ｂ）に示すように、中間周波数信号ＩＦ１〜ＩＦ４に対してそれぞれ同期部４１〜４４と検波部５１〜５４が設けられており、同期部４１〜４４と検波部５１〜５４を通過した中間周波数信号ＩＦ１〜ＩＦ４は合成部４５に入力される。合成部４５では、入力された２系統の中間周波数信号ＩＦ１、ＩＦ３とＩＦ２、ＩＦ４を処理し、合成後のＣ／Ｎ比がそれぞれの系統で最良（最大）になるように、２系統の中間周波数信号ＩＦ１、ＩＦ３とＩＦ２、ＩＦ４に系統毎に重み付けを行って合成して復調する。復調された２系統の信号はそれぞれ誤り訂正部４６、４７を経て次世代ＯＦＤＭ回路８からデジタルテレビ放送特有の信号ＴＳ１、ＴＳ２として出力される。この信号ＴＳ１、ＴＳ２は、画像と音声とデータを含む信号であり、パケット形式で出力される。
【００３３】
図７は、４つのアンテナＡ１〜Ａ４と図６（ａ）、（ｂ）で説明した次世代ＯＦＤＭ回路８を内蔵したチューナモジュール３を使用した本発明の第５の実施例の地上波デジタル放送の受信装置１５の構成を示すものである。第５の実施例の地上波デジタル放送の受信装置１５の構成は、図５で説明した本発明の第３の実施例の地上波デジタル放送の受信装置１３の構成において、チューナモジュール３に内蔵されるＯＦＤＭ回路４が、次世代ＯＦＤＭ回路８に変更になった点のみである。よって、第５の実施例の地上波デジタル放送の受信装置１５の構成において、図５で説明した本発明の第３の実施例の地上波デジタル放送の受信装置１３の構成と同じ構成部材には同じ符号を付してその説明を省略する。
【００３４】
なお、第５の実施例の地上波デジタル放送の受信装置１５では、第４の実施例の地上波デジタル放送の受信装置１４と同様に、アンテナＡ１とアンテナＡ２がそれぞれ異なるチャンネル周波数の放送波を受信する。そして、アンテナＡ３はアンテナＡ１と同じチャンネル周波数の放送波を受信し、アンテナＡ４はアンテナＡ２と同じ周波数の放送波を受信する。切換スイッチＳＷ１，ＳＷ２の切り換えは、次世代ＯＦＤＭ回路８に接続するマイコン７によって行われる。
【００３５】
マイコン７はチューナＴ１〜Ｔ４から次世代ＯＦＤＭ回路８に入力される中間周波数信号ＩＦ１〜ＩＦ４の強度に応じて、チューナＴ３に接続するアンテナをアンテナＡ１かアンテナＡ３の何れかに切り換え、同様に、チューナＴ４に接続するアンテナをアンテナＡ２かアンテナＡ４の何れかに切り換える。この結果、第５の実施例の次世代ＯＦＤＭ回路８は、合成後のＣ／Ｎ比が最良（最大）になるように、２系統の中間周波数信号ＩＦ１、ＩＦ３とＩＦ２、ＩＦ４に系統毎に重み付けを行って合成して復調して信号ＴＳ１、ＴＳ２として出力する。
【００３６】
また、フロントアンテナＡ１，Ａ２、及びリヤアンテナＡ３，Ａ４の何れか１つが故障した場合でも、切換スイッチＳＷ１及びＳＷ２を動作可能なアンテナ側に切り換えることにより、アンテナに故障が発生した場合でもチューナを無駄にすることなく受信感度の向上に寄与させることができる。
【００３７】
なお、第５の実施例の地上波デジタル放送の受信装置１５では、アンテナＡ１、Ａ３とアンテナＡ２、Ａ４が受信するチャンネル周波数を異ならせ、２本ずつのアンテナの出力をそれぞれ合成して信号ＴＳ１、ＴＳ２を出力しているが、アンテナＡ１〜Ａ３とアンテナＡ４が受信するチャンネル周波数を異ならせ、３本のアンテナの出力の合成と１本のアンテナの出力から信号ＴＳ１、ＴＳ２を出力させることも可能である。
【００３８】
図８は、図６（ａ）、（ｂ）及び図７に示した次世代ＯＦＤＭ回路８の機能を示すテーブル図である。前述のように、次世代ＯＦＤＭ回路８を備える受信装置１４，１５では、複数のアンテナを２系統に分け、系統毎に別々のチャンネル周波数の放送波を受信させて別チャンネルの信号ＴＳ１、ＴＳ２を出力することができるので、異なる２つのテレビ番組の一方を視聴し、他方を録画する（Ｎｏ．２参照）、或いは前席であるテレビ番組を視聴し、後席で同時に別のテレビ番組を視聴する（Ｎｏ．１参照）ことができる。
【００３９】
更に、図８に示すように、次世代ＯＦＤＭ回路８を備える受信装置１４，１５では、以下のような動作が可能である。
（１）異なるチャンネルの電子番組表を取得する高速ＥＰＧの取得
（２）一方のチャンネルを視聴しながら他方のチャンネルを操作する裏番組の受信
（３）視聴せず２つの番組に対する操作を行うダブル裏動作
（４）一方のチャンネルを視聴しながら受信状態の良い他の番組をサーチするネットワークフォロー
（５）裏ＡＵＴＯ．Ｐ、高速ＡＵＴＯ．Ｐ、マルチ画面、デジタルラジオの聴取等
【００４０】
そして、従来の受信装置では、４つのアンテナが備えられていないと品質の良い２つのＴＳ信号を得ることはできなかったが、第４の実施例のように構成すれば、２つのアンテナを設けるだけでも次世代ＯＦＤＭ回路８によってＣ／Ｎ比を向上させる信号の合成が行われるので、製品の品質を保てる２つのＴＳ信号を得ることができる。
【符号の説明】
【００４１】
１、６    従来の受信装置
２    回路基板
３    チューナモジュール
４    ＯＦＤＭ回路
５    ＡＶデコード回路
７    マイクロコンピュータ
８    次世代ＯＦＤＭ回路
１１    本発明の第１の実施例の受信装置
１２    本発明の第２の実施例の受信装置
１３    本発明の第３の実施例の受信装置
１４    本発明の第４の実施例の受信装置
１５    本発明の第５の実施例の受信装置
Ａ１〜Ａ４    アンテナ
ＣＮ１〜ＣＮ４    コネクタ
Ｔ１〜Ｔ４    チューナ
【図１】
2010206294.tif 000003
【図２】
2010206294.tif 000004
【図３】
2010206294.tif 000005
【図４】
2010206294.tif 000006
【図５】
2010206294.tif 000007
【図６】
2010206294.tif 000008
【図７】
2010206294.tif 000009
【図８】
2010206294.tif 000010